(57)【要約】【課題】簡単な構成で駆動部をロックすることのできる画像形成装置を提供することを目的とする。【解決手段】インターロック装置１６は、排紙扉１２に保持されたシート搬送ローラ４１ａを駆動するための第２ギヤ４をロックするロック部材５を、付勢手段７及び押圧部材８によって構成される移動部により排紙扉１２が閉鎖状態のときは第２ギヤ４のロックを解除する位置に保持し、排紙扉１２の開放動作に伴って第２ギヤ４をロックするロック位置に移動させる。【選択図】図４
2010235232.tif 000002
【特許請求の範囲】
【請求項１】
シートを搬送するシート搬送ローラと、装置本体に設けられ、前記シート搬送ローラを駆動する駆動部と、前記シート搬送ローラに接近可能に前記装置本体に対して開放自在に設けられた扉と、前記扉を開放した際、前記駆動部をロックするロック部と、を備え、
前記ロック部は、
前記駆動部をロックするロック部材と、
前記扉が前記装置本体に対して閉鎖状態のときは前記ロック部材を、前記駆動部のロックを解除するロック解除位置に保持し、前記扉の開放動作に伴って前記ロック部材を、前記駆動部をロックするロック位置に移動させる移動部と、を備えていることを特徴とするシート搬送装置。
【請求項２】
前記駆動部は、駆動源と、前記駆動源からの駆動を前記シート搬送ローラに伝達する駆動伝達部材と、を備え、
前記ロック部は、前記移動部により、前記ロック部材を、前記扉が前記装置本体に対して閉鎖状態のときは前記駆動伝達部材から離間したロック解除位置に保持し、前記扉の開放動作に伴って前記駆動伝達部材をロックするロック位置に移動させることを特徴とする請求項１記載のシート搬送装置。
【請求項３】
前記ロック部材は、前記扉の開閉方向と交差する方向に移動可能に設けられ、前記移動部は、前記扉の開閉に伴って前記ロック部材を移動させることを特徴とする請求項１又は２記載のシート搬送装置。
【請求項４】
前記ロック部材は、前記扉の開閉方向に移動可能に設けられ、前記移動部は、前記扉の開閉に伴って前記ロック部材を移動させることを特徴とする請求項１又は２記載のシート搬送装置。
【請求項５】
前記ロック部材は、ギヤ形状を有し、前記駆動部を構成するギヤと噛合ってロックすることを特徴とする請求項１ないし４のいずれか１項に記載のシート搬送装置。
【請求項６】
シートに画像を形成する画像形成部と、画像形成されたシートを搬送する請求項１ないし５のいずれか１項に記載のシート搬送装置と、を備えたことを特徴とする画像形成装置。
【発明の詳細な説明】
【技術分野】
【０００１】
本発明は、シート搬送装置及び画像形成装置に関し、特に扉を開放した際、シート搬送ローラを駆動する駆動部をロックする構成に関する。
【背景技術】
【０００２】
従来、プリンタ、複写機、印刷機等の画像形成装置において、例えばトナー補給やプロセスカートリッジの交換、またジャムしたシートを処理する場合、ユーザーあるいはサービスマンは、装置本体に開放可能に設けられた扉を開放する。これにより、ジャムシートの除去やプロセスカートリッジの交換等を容易に行うことが出来る。
【０００３】
ところで、これらの扉には、シートを搬送するシート搬送ローラを支持したものがあるが、このようにシート搬送ローラを支持する場合、扉が開放されたとき、駆動部からの駆動がシート搬送ローラに伝達されることがないように駆動部をロックする必要がある。このため、このような扉には、例えば電源を落とすことにより駆動部をロックするようにしたインターロック機構が設けられている。なお、例えば、２つの扉を有する画像形成装置におけるインターロック機構としては、リンク機構を有することで異なる方向へ開閉する扉の開閉に順番を発生させることなく、１つのスイッチでインターロック機構を実現させるものがある（特許文献１参照）。
【先行技術文献】
【特許文献】
【０００４】
【特許文献１】特開平１１−３０５５１２号公報
【発明の概要】
【発明が解決しようとする課題】
【０００５】
ところで、近年、ユーザー操作性、ジャム処理性を向上させるために、３つ以上の扉を有した画像形成装置が主流となってきている。しかし、このように３つ以上の扉の全てを連動させるインターロック機構を実現させるには非常に複雑な構成を必要とし、装置の大型化に繋がる。
【０００６】
そこで、本発明は、このような現状に鑑みてなされたものであり、簡単な構成で駆動部をロックすることのできる画像形成装置を提供することを目的とするものである。
【課題を解決するための手段】
【０００７】
本発明は、シートを搬送するシート搬送ローラと、装置本体に開放自在に設けられた扉と、前記装置本体に設けられ、前記シート搬送ローラを駆動する駆動部と、前記扉を開放した際、前記駆動部をロックするロック部と、を備えた画像形成装置において、前記ロック部は、前記駆動部をロックするロック部材と、前記扉が閉鎖状態のときは前記ロック部材を、前記駆動部のロックを解除するロック解除位置に保持し、前記扉の開放動作に伴って前記ロック部材を、前記駆動部をロックするロック位置に移動させる移動部と、を備えていることを特徴とするものである。
【発明の効果】
【０００８】
本発明のように、ロック部材を、扉が閉鎖状態のときは駆動部のロックを解除する位置に保持し、扉の開放動作に伴って駆動部をロックするロック位置に移動させることにより、簡単な構成で駆動部をロックすることができる。
【図面の簡単な説明】
【０００９】
【図１】本発明の第１の実施の形態に係る画像形成装置の一例であるカラーレーザービームプリンタの全体構成図。
【図２】上記プリンタに設けられたドア及び扉を説明する図。
【図３】上記プリンタに設けられたインターロック装置の構成を説明する図。
【図４】上記インターロック装置の動作を説明する図。
【図５】本発明の第２の実施の形態に係る画像形成装置に設けられたインターロック装置の構成を説明する図。
【図６】上記インターロック装置の動作を説明する図。
【発明を実施するための形態】
【００１０】
以下、本発明を実施するための形態について図面を用いて詳細に説明する。図１は、本発明の第１の実施の形態に係る画像形成装置の一例であるカラーレーザービームプリンタの全体構成図である。図１において、１はカラーレーザプリンタ、１Ａは装置本体であるカラーレーザプリンタ本体（以下、プリンタ本体という）である。このプリンタ本体１Ａの上部には原稿を読み取る画像読取装置２００Ｂと原稿を給送する自動原稿送り装置２００Ａが配置されている。また、プリンタ本体１Ａには、シートに画像を形成する画像形成部１Ｂと、シートを給送する給送部２０と、シートに形成されたトナー画像を定着させる定着部３６等が設けられている。画像形成部１Ｂは、感光体ドラム２６（２６Ｙ，２６Ｍ，２６Ｃ，２６Ｋ）等を備え、プリンタ本体１Ａに着脱可能に装着されたイエロー、マゼンタ、シアン及びブラックの４色のトナー画像を形成するプロセスカートリッジ２５を備えている。また、画像形成部１Ｂは、プロセスカートリッジ２５の鉛直下方に配置され、画像情報に基づいてレーザービームを照射し、感光体ドラム２６上に静電潜像を形成するスキャナユニット２８を備えている。各プロセスカートリッジ２５は、感光体ドラム２６の他、感光体ドラム２６の周囲に設けられた感光体ドラム表面を均一に帯電する帯電装置２７、静電潜像にトナーを付着させてトナー像として顕像化する現像装置２９、ドラムクリーナ２９ａ等を備えている。
【００１１】
また、３０は中間転写ベルトであり、この中間転写ベルト３０の内側には各感光体ドラム２６に対向して１次転写ローラ３１が配設されている。そして、１次転写ローラ３１によって中間転写ベルト３０に１次転写バイアスを印加することにより、感光体ドラム上の各色トナー像が順次中間転写ベルト３０に転写され、これにより中間転写ベルト上にはカラー画像が形成される。また、３２は順次中間転写ベルト３０に形成されたカラー画像をシートに転写する２次転写部であり、この２次転写部３２は、不図示の駆動ギアにより回転駆動される二次転写内ローラを兼ねる駆動ローラ３２ｂと、２次転写ローラ３２ａとにより構成されている。定着部３６は、シート上に形成した画像に熱及び圧力を加えてトナー像を定着させるものであり、加熱ローラ３４と、加熱ローラ３４に圧接する加圧ローラ３５とを有している。給送部２０は、プリンタ本体１Ａに着脱可能に装着された給紙カセット２２ａと、ピックアップローラ２２ｂを備えている。なお、４５は手差し給紙部である。
【００１２】
次に、このように構成されたカラーレーザプリンタ１の画像形成動作について図２を用いて説明する。自動原稿送り装置２００Ａから画像読取装置２００Ｂのプラテンガラス２００Ｃ上の読取位置に原稿が給送されると、光源を持った第１ミラー台２０１及び第２ミラー台２０２がプラテンガラス２００Ｃの下部を、矢印方向に走査する。光源から発せられた光は原稿面で反射した後、第１ミラー台２０１及び第２ミラー台２０２で反射し、ＣＣＤ２０３へと導かれ、ＣＣＤ２０３では画像情報を電気信号に変換する。なお、図２に示される自動原稿送り装置２００Ａにセットした原稿を読み取る場合は、第１ミラー台２０１及び第２ミラー台２０２は図示した位置に停止している。そして、自動原稿送り装置２００Ａにより原稿が１枚ずつ分離搬送されると、原稿はプラテンガラス２００Ｃを挟んで第１ミラー台２０１上を通過しながら画像情報が読み取られる。なお、本カラーレーザプリンタ１は、不図示の画像処理部にＣＣＤからの画像信号を入力すれば複写機として機能し、パーソナルコンピュータ等の出力信号を入力すればプリンタとして機能する。
【００１３】
ＣＣＤ２０３により電気信号に変換された画像情報は不図示の画像処理部で処理された後、スキャナユニット２８に伝送され、スキャナユニット２８から、読み取った原稿画像の電気信号に対応したレーザ光が感光体ドラム上に照射される。このとき感光体ドラム２６は、帯電装置２７により表面が予め所定の極性・電位に一様に帯電されており、スキャナユニット２８からレーザ光が照射されることによって表面に静電潜像が形成される。この後、この静電潜像をトナーにより現像し、可視化する。ここで、カラー画像を形成する場合には、例えば、まず感光体ドラム２６Ｙに、原稿のイエロー成分色の画像信号によるレーザ光をスキャナユニット２８から照射し、感光体ドラム２６Ｙ上にイエローの静電潜像を形成する。そして、このイエローの静電潜像を、現像装置２９はトナー収納部２９ｂからのイエロートナーにより現像し、イエロートナー像として可視化する。次に、このトナー像が感光体ドラム２６Ｙの回転に伴って感光体ドラム２６Ｙと中間転写ベルト３０とが当接する１次転写部に達すると、１次転写ローラ３１に印加した１次転写バイアスにより、感光体ドラム上のイエロートナー像が中間転写ベルト上に転写される。
【００１４】
次に、中間転写ベルト３０のイエロートナー像を担持した部位が移動すると、このときまでに上記と同様な方法で感光体ドラム２６Ｍ上に形成されたマゼンタトナー像がイエロートナー像上から中間転写ベルト３０に転写される。同様に、中間転写ベルト３０が移動するにつれて、それぞれ１次転写部においてシアントナー像、ブラックトナー像が、イエロートナー像、マゼンタトナー像上に重ね合わせて転写される。これにより、中間転写ベルト上にカラートナー画像が形成される。なお、トナー像転写後に、感光体ドラム表面に残ったトナーは、ドラムクリーナ２９ａによって除去される。除去されたトナーは、後述する図２に示す回収トナー容器１３に回収される。
【００１５】
また、このトナー画像形成動作に並行して給紙カセット２２ａに収容されたシートはピックアップローラ２２ｂにより送り出された後、レジストローラ対２４に達し、このレジストローラ対２４によりタイミングを合わされた後、２次転写部３２に搬送される。なお、手差し給送部４５に載置されたシートも、レジストローラ対２４によりタイミングを合わされた後、２次転写部３２に搬送される。そして、この２次転写部３２において、２次転写ローラ３２ａに印加される２次転写バイアスによって中間転写ベルト上の４色のトナー像がシート上に一括して転写される。次に、トナー像が転写されたシートは定着部３６に搬送され、加熱ローラ３４と、加熱ローラ３４に圧接する加圧ローラ３５とで形成されるニップを通過する際に、シート上の未定着トナー画像が加熱定着される。この結果、カラーのプリント画像が永久画像としてシート上に定着される。次に、このようにカラーのプリント画像が永久画像として定着された後、シートは正逆転可能な排出ローラ対３８によってシート積載部４０に排出積載される。
【００１６】
なお、本実施の形態のカラーレーザプリンタ１は、シートの両面に画像を形成することができるようになっている。そして、シートの両面に画像を形成する場合には、シートが、排出ローラ対３８によってシート積載部４０に排出される前に、排出ローラ対３８を逆転させ、シート搬送路である反転搬送通路Ｒに進入させるようにしている。このように反転搬送通路Ｒに進入したシートは、反転搬送通路Ｒに設けられたシート搬送ローラ対４１〜４３によりレジストローラ対２４まで搬送され、この後、レジストローラ対２４によって再度、画像形成部１Ｂに搬送され、第２面に画像形成が行われる。なお、第２面に画像が形成されたシートは、定着部３６を通過して画像が定着された後、排出ローラ対３８によってシート積載部４０に排出、積載される。
【００１７】
ところで、カラーレーザプリンタ１は、図２に示すように、前ドア１０と、右ドア１１、排紙扉１２とを備えている。前ドア１０は下側部を支点として上下方向に回動することによりプリンタ本体前面側に開く（開放する）ことが可能であり、前ドア１０を開くことにより、回収トナー容器１３及びプロセスカートリッジ２５の交換を行うことができる。右ドア１１はプリンタ本体奥側部を支点として横方向に回動することにより装置右側に開くことが可能であり、右ドア１１を開くことにより、ジャム処理を行うことができる。なお、図１に示す２次転写ローラ３２ａ及びレジストローラ対２４を構成するレジスト外ローラ２４ａは、この右ドア１１に支持されている。これにより、右ドア１１を開くと、２次転写ローラ３２ａは中間転写ベルト（ＩＴＢ）３０から、レジスト外ローラ２４ａは、レジスト外ローラ２４ａと共にレジストローラ対２４を構成するレジスト内ローラ２４ｂから離間する。そして、このように２次転写ローラ３２ａが中間転写ベルト（ＩＴＢ）３０から離間することにより、ジャムシートが中間転写ベルト３０と２次転写ローラ３２ａとの間に挟持された場合、ジャムしたシートを容易に処理できる。また、レジスト外ローラ２４ａがレジスト内ローラ２４ｂから離間することにより、ジャムシートがレジストローラ対２４に挟持された場合、ジャムしたシートを容易に処理できる。
【００１８】
排紙扉１２は図３に示すように装置奥側にヒンジ（回動中心）９を持ち、装置右側に開放自在に設けられ、排紙扉１２を開くことによりジャムしたシートを処理することができる。排紙扉１２は、例えば図１に示す反転搬送通路Ｒに設けられたシート搬送ローラ対４１を構成するシート搬送ローラ４１ａを保持しており、このシート搬送ローラ４１ａの軸４１ｂの一端には第１ギヤ２が設けられている。また、プリンタ本体側には第１ギヤ２と噛合する第２ギヤ４が設けられている。ここで、第２ギヤ４は、シート搬送ローラ４１ａを駆動させるための駆動源であるモータ３のモータ軸３ａに設けられたものである。そして、図２に示すように排紙扉１２が閉じた状態では、第２ギヤ４と第１ギヤ２とが噛合し、モータ３の駆動がモータ３と共に駆動部を構成する駆動伝達部材である第２ギヤ４から第１ギヤ２を介してシート搬送ローラ４１ａに伝達される。
【００１９】
ここで、図２及び図３において、１６は排紙扉１２が開放された際、第２ギヤ４が回転しないように第２ギヤ４をロックするロック部を構成するインターロック装置である。このインターロック装置１６は、排紙扉１２の開閉に応じて動作するようにプリンタ本体右奥の位置に取り付けられている。このインターロック装置１６は、第２ギヤ４と噛合って第２ギヤ４をロックするギヤ形状を有するロック部材５を備えている。このロック部材５は、矢印Ａ、Ｂに示すプリンタ本体１Ａに固定されている固定軸６の軸（スラスト）方向、すなわち排紙扉１２の開閉方向と交差する方向に移動可能に支持されている。また、このロック部材５は、固定軸６に設けられた不図示の回転規制部により固定軸６に対しては回転できないように構成されると共に、本体側に取り付けられている付勢手段７によって常にＢ方向（図中右側）に付勢されている。
【００２０】
図３において、８は排紙扉１２に支持され、ロック部材５を押圧する押圧部材であり、この押圧部材８は、排紙扉１２が閉じられた際、ロック部材５を付勢して矢印Ａ方向（図中左側）に移動させるものである。ここで、本実施の形態においては、付勢手段７の付勢力よりも、押圧部材８の押圧力の方が大きく設計されている。なお、本実施の形態においては、この付勢手段７と押圧部材８とにより、ロック部材５を移動させる移動部が構成される。そして、このような構成の移動部により、排紙扉１２が閉鎖状態のときはロック部材５を、第２ギヤ４と噛合わない位置、すなわち第２ギヤ４のロックを解除するロック解除位置に保持する。そして、排紙扉１２の開放動作に伴ってロック部材５を軸方向に移動させ、第２ギヤ４と噛合って第２ギヤ４をロックするロック位置に移動させることができる。なお、ロック部材５または押圧部材８には排紙扉１２の開閉動作に連動する付勢力が滑らかに固定軸６上に伝わるように夫々適当なテーパ形状が付けられている。
【００２１】
次に、図３及び４を用いて、インターロック装置１６の動作について説明する。図３は排紙扉１２が閉じた状態を示している。この場合、モータ軸端に配置されている第２ギヤ４と排紙扉１２に取り付けられている第１ギヤ２は噛合（連結）されている。また、ロック部材５は、排紙扉１２に取り付けられている押圧部材８によりＡ方向に付勢され、第２ギヤ４と噛合わないロック解除位置まで移動する。なお、このときプリンタ本体側に取り付けられている付勢手段７はロック部材５をＢ方向（図中右側）に付勢しようとするが、既述したように付勢手段７の力より押圧部材８の力が大きく設計されているためロック部材５は矢印Ａ方向へ移動する。そして、このように排紙扉１２が閉じた状態のときモータ３が駆動されると、モータ３の駆動が第２ギヤ４と第１ギヤ２を介してシート搬送ローラ４１ａに伝達され、シートはシート搬送ローラ対４１（図１参照）に挟持搬送される。
【００２２】
図４は排紙扉１２が開いた状態を示している。排紙扉１２が開くと、第１ギヤ２と第２ギヤ４の噛合が解除され、モータ３の駆動はシート搬送ローラ４１ａには伝達されなくなりシート搬送ローラ４１ａは回転しない。また、ロック部材５は、排紙扉１２に取り付けられている押圧部材８による押圧力が無くなることから、ロック部材５にはプリンタ本体側に取り付けられている付勢手段７の力のみがかかるようになる。これにより、ロック部材５は、Ｂ方向（図中右側）に移動し、固定軸６に取り付けられている不図示のスラスト規制部材に当接する、図４に示す第２ギヤ４と噛合（連結）する位置まで移動する。ここで、既述したようにロック部材５は固定軸６に対して不図示の回転規制部により回転できないように支持されているため、例えモータ３が回転しようとしても、ロック部材５によりロックされているので第２ギヤ４が回転することはない。
【００２３】
以上説明したように、本実施の形態においては、ロック部材５を排紙扉１２が閉鎖状態のときは第２ギヤ４（駆動部）のロックを解除する位置に保持し、排紙扉１２の開放動作に伴って第２ギヤ４をロックする位置に移動させている。これにより、簡単な構成で第２ギヤ４をロックすることができる。そして、このような構成のインターロック装置１６を個々の扉ごとに設け、駆動源を機械的にロックすることにより、省スペース化を図ることができる。また、本実施の形態では、ロック部材５は第２ギヤ４と噛合うギヤ形状となっており、このようにロック部材５がギヤ形状を有することにより、ロック部材５は複数箇所で第２ギヤ４と嵌合することができ、確実に第２ギヤ４をロックすることができる。なお、本実施の形態では、ロック部材５はギヤ形状となっているが、第２ギヤ４をロックすることができれば如何なる形態でも構わない。例えば、モータ軸３ａとロック部材５を半月形状とし、ロック部材５をモータ軸３ａに直接作用させることにより第２ギヤ４をロックするようにしても良い。
【００２４】
次に、本発明の第２の実施の形態について説明する。図５は、本実施の形態に係る画像形成装置に設けられたインターロック装置の構成を示す図である。図５において、５１は排紙扉であり、この排紙扉５１は、後述する図６に示すように、その下端部がヒンジ（回動中心）５１ａを支点として上下方向に開閉される。また、この排紙扉５１は、シートを搬送させるための不図示のシート搬送ローラを備えており、このシート搬送ローラの軸５２の一端部には第１ギヤ５３が設けられている。また、プリンタ本体側には第１ギヤ５３と噛合する第２ギヤ５５が設けられている。ここで、第２ギヤ５５は、シート搬送ローラを駆動させるためのモータ５４のモータ軸５４ａに設けられたものであり、図５に示すように排紙扉５１が閉じた状態では、第２ギヤ５５と第１ギヤ５３とが噛合し、モータ５４の駆動がシート搬送ローラに伝達される。
【００２５】
ここで、本実施の形態においては、第２ギヤ５５には、排紙扉５１が開かれたとき、第２ギヤ５５が回転しないように図６に示すように第２ギヤ５５をロックするインターロック装置５０が設けられている。このインターロック装置５０は、第２ギヤ５５と噛合して第２ギヤ５５をロックするギヤ形状を有するロック部材５６と、回動軸５７を中心に回動自在にプリンタ本体１Ａに保持され、回動端にロック部材５６を保持しているアーム部材６０を備えている。なお、このアーム部材６０は、付勢手段５８により常に図６において矢印Ｄで示す方向、すなわち排紙扉５１の開閉方向と同じ方向に付勢されている。また、ロック部材５６は、固定軸６１に設けられた不図示の回転規制部により固定軸６１に対しては回転できないように支持されている。また、このインターロック装置５０は、排紙扉５１に設けられた押圧部材５９を備えており、この押圧部材５９は、排紙扉５１が閉じられると、ロック部材５６をＥ方向に移動させるようにしている。ここで、本実施の形態においては、付勢手段５８と押圧部材５９とにより、ロック部材５６を移動させる移動部が構成される。そして、このような移動部により、排紙扉５１が閉鎖状態のときはロック部材５６を、第２ギヤ５５のロックを解除するロック解除位置に保持し、排紙扉５１の開放動作に伴ってロック部材５６を、第２ギヤ５５をロックするロック位置に移動させることができる。
【００２６】
次に、図６を用いて、インターロック装置５０の動作について説明する。図６の（ａ）は排紙扉５１が閉じた状態を示している。この場合、モータ軸端に配置されている第２ギヤ５５と排紙扉５１に取り付けられている第１ギヤ５３は噛合（連結）されている。また、ロック部材５６は、排紙扉５１に取り付けられている押圧部材５９によりＥ方向に押圧されて排紙扉５１の閉じる方向と同じ方向に移動し、第２ギヤ５５と噛合わないロック解除位置まで移動する。そして、このように排紙扉５１が閉じた状態のときモータ５４が駆動されると、モータ５４の駆動が第２ギヤ５５と第１ギヤ５３を介してシート搬送ローラに伝達され、シートは搬送される。
【００２７】
図６の（ｂ）は排紙扉５１が開いた状態を示している。排紙扉５１が開くと、第１ギヤ５３と第２ギヤ５５の噛合が解除され、モータ５４の駆動はシート搬送ローラには伝達されなくなりシート搬送ローラは回転しない。また、ロック部材５６は、押圧部材５９による付勢力が無くなることから、ロック部材５６にはプリンタ本体側に取り付けられている付勢手段５８の力のみがかかるようになる。これにより、ロック部材５６は、Ｄ方向（図中右側）に移動し、第２ギヤ５５と噛合（連結）する位置まで移動する。ここで、既述したようにロック部材５６は固定軸６１に対して不図示の回転規制部により回転できないように支持されているため、例えモータ５４が回転しようとしても、ロック部材５６によりロックされているので第２ギヤ５５が回転することはない。
【００２８】
本実施の形態において画像形成装置に一体的に組み込まれたシート搬送装置を例として説明したが、これに限らない。例えば、画像形成装置に別装置として接続される、シート処理装置（フィニッシャ）に本発明を適用しても有効である。また、これまでの説明においては、排紙扉にシート搬送ローラを設け、排紙扉を開放することによりシート搬送ローラに接近可能とした場合について説明したが、本発明は、これに限らない。カラーレーザプリンタ本体に設けられたシート搬送ローラに対して排紙扉を接近可能に設け、シート搬送ローラにアクセスする際、排紙扉を開放すると共に、排紙扉の開放動作に伴ってロック部材を第２ギヤをロックする位置に移動させるようにしても良い。
【符号の説明】
【００２９】
１…カラーレーザプリンタ、１Ａ…カラーレーザプリンタ本体、１Ｂ…画像形成部、２…第１ギヤ、３…モータ、４…第２ギヤ、５…ロック部材、７…付勢手段、８…押圧部材、１２…排紙扉、１６…インターロック装置、４１ａ…シート搬送ローラ、５０…インターロック装置、５１…排紙扉、５３…第１ギヤ、５４…モータ、５５…第２ギヤ、５６…ロック部材、５８…付勢手段、５９…押圧部材、６０…アーム部材
【図１】
2010235232.tif 000003
【図２】
2010235232.tif 000004
【図３】
2010235232.tif 000005
【図４】
2010235232.tif 000006
【図５】
2010235232.tif 000007
【図６】
2010235232.tif 000008